(57)【要約】      （修正有）【課題】放送波に多重されたアップデートプログラムを、放送波を受信可能な受信装置を介して高速に取得できるデータ転送システム、受信装置及び再生専用装置を提供する。【解決手段】再生専用装置２のファームウェアアップデートを、再生専用装置２に接続された、放送波を受信可能な受信装置１を介してアップデートを取得することにより実行する。受信装置１と再生専用装置２との間のアップデートプログラムの転送は、ＨＤＭＩインタフェースのＣＥＣチャネル３を介して行われる。ここで、ＣＥＣチャネル３を接続するインタフェース部１６及びインタフェース部２１に専用のインタフェースを実装することにより、従来のＣＥＣチャネルによる転送よりも高速な高速転送モードによるデータ転送を可能とした。【選択図】図１
2010092354.tif 000002
【特許請求の範囲】
【請求項１】
ＨＤＭＩにより接続され、転送速度を速めた高速転送モードにより互いにデータ転送が可能な第１の機器及び第２の機器を有し、
前記第１の機器は、
放送波を受信する放送波受信部と、
前記放送波受信部が前記放送波を介して取得した前記第２の機器に対応するファームウェアアップデートプログラムを前記高速転送モードにより前記第２の機器に転送する第１のインタフェース部と、
を有し、
前記第２の機器は、
前記第１の機器の前記第１のインタフェースから転送される前記ファームウェアアップデートプログラムを前記高速転送モードで取得する第２のインタフェース部と、
前記ファームウェアアップデートプログラムを格納するフラッシュメモリと、
制御部と、
を有し、
前記制御部は、前記フラッシュメモリに対して、前記第２のインタフェース部が前記高速転送モードにより取得した前記ファームウェアアップデートプログラムを上書きする
データ転送システム。
【請求項２】
前記第２の機器は、前記第１の機器に対して、当該第２の機器のファームウェアバージョン情報、型式情報のうち少なくとも１つを、前記放送波受信部が前記第２に対応する機器のファームウェアアップデートプログラムを取得する以前に転送し、
前記第１の機器は、前記放送波受信部が前記第１の機器の型式情報を基に、第２の機器に対応するファームウェアアップデートプログラムを取得できなかった場合、或いは、前記放送波受信部が取得したファームウェアアップデートプログラムを前記第２の機器のファームウェアバージョン情報と比較して、前記放送波受信部が取得したファームウェアアップデートプログラムが第２の機器のファームウェアバージョン情報よりも新しいバージョンのファームウェアではなかった場合には、前記放送波受信部が取得した前記ファームウェアアップデートプログラムを破棄する
請求項１に記載のデータ転送システム。
【請求項３】
前記第１の機器は、前記放送波受信部が取得した第２の機器に対応するファームウェアアップデートプログラムを前記高速転送モードで前記第２の機器に転送する際に、当該アップデートプログラムが分割されて記憶される送信ＦＩＦＯを有し、
前記第２の機器は、前記第１の機器から分割されて高速転送モードで転送される前記アップデートプログラムを一時記憶する受信ＦＩＦＯを有する
請求項１に記載のデータ転送システム。
【請求項４】
所定の電子機器とＨＤＭＩにより接続され、転送速度を速めた高速転送モードにより互いにデータ転送が可能な受信装置が、
放送波を受信する放送波受信部と、
前記放送波受信部が前記放送波を介して取得した前記電子機器に対応するファームウェアアップデートプログラムを前記高速転送モードにより前記電子機器に転送する第１のインタフェース部と、
を有する受信装置。
【請求項５】
放送波を受信する放送波受信部を有する受信装置とＨＤＭＩにより接続された再生専用装置が、
前記受信装置において、前記放送波受信部が前記放送波を介して取得した、当該再生専用装置に対応するファームウェアアップデートプログラムを、前記受信装置が高速転送モードに対応した第１のインタフェース部を介して転送してきた場合に、
前記高速転送モードによる受信が可能な第２のインタフェース部と、
前記ファームウェアアップデートプログラムを格納するフラッシュメモリと、
制御部と、
を有し、
前記制御部は、前記フラッシュメモリに対して、前記第２のインタフェース部が前記高速転送モードにより取得した前記ファームウェアアップデートプログラムを上書きする
再生専用装置。
【発明の詳細な説明】
【技術分野】
【０００１】
本発明は、ファームウェアのアップデートが可能な機器を含むデータ転送システム、受信装置及び再生専用装置に関する。
【背景技術】
【０００２】
近年の電子機器は、発売後しばらく経ってから、ソフトウェア的な不具合を解消したり、ユーザの要望に応えたりするために、ファームウェアのアップデートを行うことができるものが増えてきている。
電子機器のファームウェアアップデートの方法としては、例えばメーカからアップデートプログラムが記録されたメディアを取得し、当該メディアを再生する方法や、ネットワーク経由でアップデートプログラムを取得する方法がある。
【０００３】
しかし、このような方法は、メディア再生設備やネットワーク設備を有していない電子機器では採用することができない。
このため、メディア再生設備やネットワーク設備を有する他の電子機器にアップデートプログラムを取得させ、これを転送させることによりメディア再生設備やネットワーク設備を有していない電子機器がアップデートプログラムの取得を行う方法が開発されている。
このような方法の一例として、例えば特許文献１に開示された技術がある。
【０００４】
【特許文献１】特開２００７−２７４３７５号公報
【発明の開示】
【発明が解決しようとする課題】
【０００５】
特許文献１には、映像データや音声データといったコンテンツデータを供給するソース機器から、コンテンツデータを受け取るシンク機器やリピータ機器といった受信機器のアップデートを行うＡＶシステムが開示されている。
なお、ソース機器は、たとえば、ＤＶＤ（Digital Versatile Disc）プレーヤやＢＤ（Blu-ray Disc）プレーヤ、ＨＤＤＶＤ（High Definition DVD）プレーヤ、ＣＤプレーヤ等である。また、シンク機器は、たとえば、ＬＣＤ（Liquid Crystal Display）、ＰＤＰ（Plasma Display Panel）、プロジェクタ等である。リピータ機器は、たとえば、ＡＶアンプや、ＡＶレシーバである。
【０００６】
特許文献１に開示された技術では、ソース機器からシンク機器やリピータ機器へとアップデートプログラムを転送するために、ＨＤＭＩ（High-Definition Multimedia Interface）というインタフェースが使用されている。
特に、特許文献１では、ＨＤＭＩのＴＭＤＳ（Transition Minimized Differential Signaling）という伝送チャネルによりアップデートプログラムの転送が行われる。
【０００７】
近年、ＤＶＤプレーヤやＢＤプレーヤなど、再生専用装置においても、ファームウェアアップデートを行いたい、という要求がある。
再生専用装置は、必ずしもネットワーク設備を備えているとは限らないため、ネットワーク経由のアップデートを行うことができるとは限らない。
また、メディアの再生によるアップデートは可能ではあるが、ユーザはメーカに連絡をとり、アップデートプログラムが記録されたメディアを送付させる必要があり、ユーザに多大な労力を強いてしまう。
【０００８】
上述したような事情を鑑みた結果、再生専用装置のアップデートプログラム取得方法として、放送波を受信可能な受信装置と再生専用装置とを接続し、放送波に多重されたアップデートプログラムを受信装置経由で取得する方法が考えられる。
テレビやレコーダなどの受信装置において、放送波に多重されたアップデートプログラムを取得することは、すでによく行われている。
【０００９】
しかし、受信装置が取得したアップデートプログラムを、再生専用装置に伝送する際に問題が生じる。
例えば、上述した特許文献１に開示された技術において使用されるＴＤＭＳという伝送チャネルは、ソース機器からシンク機器への伝送には使用できるが、その反対のシンク機器からソース機器への伝送には使用できない。
ＨＤＭＩの他の伝送チャネル、例えばＣＥＣ（Consumer Electronics Control）を利用すれば、シンク機器からソース機器への伝送、すなわち受信装置から再生専用装置への伝送も可能である。
しかし、ＣＥＣで規定される転送プロトコルでは転送速度が非常に遅く、最大で約４００ｂｐｓしかない。近年の電子機器のアップデートプログラムは例えば数十メガバイトに達するものも多く、ＣＥＣで伝送すると何日もかかってしまうことになる。
【００１０】
本発明は、放送波に多重されたアップデートプログラムを、放送波を受信可能な受信装置を介して高速に取得できるデータ転送システム、受信装置及び再生専用装置を提供する。
【課題を解決するための手段】
【００１１】
第１の発明のデータ転送システムは、ＨＤＭＩにより接続され、転送速度を速めた高速転送モードにより互いにデータ転送が可能な第１の機器及び第２の機器を有し、前記第１の機器は、放送波を受信する放送波受信部と、前記放送波受信部が前記放送波を介して取得した前記第２の機器に対応するファームウェアアップデートプログラムを前記高速転送モードにより前記第２の機器に転送する第１のインタフェース部と、を有し、前記第２の機器は、前記第１の機器の前記第１のインタフェースから転送される前記ファームウェアアップデートプログラムを前記高速転送モードで取得する第２のインタフェース部と、前記ファームウェアアップデートプログラムを格納するフラッシュメモリと、制御部と、を有し、前記制御部は、前記フラッシュメモリに対して、前記第２のインタフェース部が前記高速転送モードにより取得した前記ファームウェアアップデートプログラムを上書きする。
【００１２】
第２の発明の受信装置は、所定の電子機器とＨＤＭＩにより接続され、転送速度を速めた高速転送モードにより互いにデータ転送が可能な受信装置が、放送波を受信する放送波受信部と、前記放送波受信部が前記放送波を介して取得した前記電子機器に対応するファームウェアアップデートプログラムを前記高速転送モードにより前記電子機器に転送する第１のインタフェース部と、を有する。
【００１３】
第３の発明の再生専用装置は、放送波を受信する放送波受信部を有する受信装置とＨＤＭＩにより接続された再生専用装置が、前記受信装置において、前記放送波受信部が前記放送波を介して取得した、当該再生専用装置に対応するファームウェアアップデートプログラムを、前記受信装置が高速転送モードに対応した第１のインタフェース部を介して転送してきた場合に、前記高速転送モードによる受信が可能な第２のインタフェース部と、前記ファームウェアアップデートプログラムを格納するフラッシュメモリと、制御部と、を有し、前記制御部は、前記フラッシュメモリに対して、前記第２のインタフェース部が前記高速転送モードにより取得した前記ファームウェアアップデートプログラムを上書きする。
【発明の効果】
【００１４】
本発明は、放送波に多重されたアップデートプログラムを、放送波を受信可能な受信装置を介して高速に取得できる。
【発明を実施するための最良の形態】
【００１５】
以下、本発明の実施形態について説明する。
図１は、本発明の実施形態のデータ転送システム１００の構成の一例を説明するためのブロック図である。
図１に示すように、本実施形態のデータ転送システム１００は、ＨＤＭＩシンク機器としての受信装置１（本発明の第１の機器に対応）と、ＨＤＭＩソース機器としての再生専用装置２（本発明の第２の機器及び電子機器に対応）とを有する。
受信装置１と、再生専用装置２との間は、ＨＤＭＩのＣＥＣに準拠した伝送チャネル（図１に示すＨＤＭＩ  ＣＥＣチャネル３）で接続されている。
【００１６】
まず、受信装置１の構成について説明する。
図１に示すように、受信装置１は、システムメモリ１１、システムコントローラ１２、放送波受信部１３、ＣＥＣコマンド生成・解析部１４、送信ＦＩＦＯ１５、インタフェース部１６（本発明の第１のインタフェース部に対応）を有する。図１に示すように、システムメモリ１１、システムコントローラ１２、放送波受信部１３、ＣＥＣコマンド生成・解析部１４、送信ＦＩＦＯ１５は、例えばシステムバス１０により互いに接続されている。
本実施携帯のシステムコントローラ１２は、本発明の制御部に対応している。
【００１７】
放送波受信部１３は、図示しないアンテナなどを介して放送波を取得し、復調して放送波に含まれるデジタルデータを抽出する。
システムメモリ１１は、放送波受信部１３が受信したデータや、受信装置１の各動作のためのプログラム類を記憶する。
システムコントローラ１２は、例えばＣＰＵなどの制御ユニットであり、受信装置１全体の動作を統括的に制御する。
【００１８】
インタフェース部１６は、再生専用装置２と接続可能なＨＤＭＩインタフェースを有する。このＨＤＭＩインタフェースは、ＣＥＣチャネルにおける双方向通信が可能なインタフェースである。
インタフェース部１６は、低速転送モードと高速転送モードの２つの動作モードを有する。これら２つのモードは、ＣＥＣコマンド生成・解析部１４からの指示に応じて切り替えが可能となっている。
低速転送モードとは、現状のＣＥＣの規格に則った転送モードであり、最大で約４００ｂｐｓの転送速度での転送を行うモードである。
高速転送モードとは、放送波受信部１３が取得した再生専用装置用のアップデートプログラムの転送時にのみ使用される、高速な転送を可能とするモードである。
高速転送モードの詳細については後述する。
【００１９】
ＣＥＣコマンド生成・解析部１４は、インタフェース部１６における再生専用装置２とのＣＥＣ規格での転送を可能とするブロックである。ＣＥＣコマンド生成・解析部１４は、インタフェース部１６で受信したビット列をシリアルｔｏパラレル変換して、コマンドデータ列としてシステムコントローラ１２に入力する。或いは、システムコントローラ１２からのコマンドやデータをパラレルｔｏシリアル変換してインタフェース部１６から転送する。
【００２０】
送信ＦＩＦＯ（First In First Out）１５は、インタフェース部１６における高速転送モードのための一時データ記憶部である。高速転送モードにおいては、データを連続して送信するために、予め分割したデータを送信ＦＩＦＯ１５に一時記憶しておく。これにより、高速転送が可能となる。
【００２１】
次に、再生専用装置２の構成について説明する。
図１に示すように、再生専用装置２は、インタフェース部２１（本発明の第２のインタフェース部に対応）、ＣＥＣコマンド生成・解析部２２、受信ＦＩＦＯ２３、システムメモリ２４、システムコントローラ２５、フラッシュメモリ２６を有する。
ＣＥＣコマンド生成・解析部２２、受信ＦＩＦＯ２３、システムメモリ２４、システムコントローラ２５、フラッシュメモリ２６は、例えばシステムバス２０により互いに接続されている。
【００２２】
インタフェース部２１は、受信装置１のインタフェース部１６と同様の構成であり、受信装置１と接続可能なＨＤＭＩインタフェースを有する。このＨＤＭＩインタフェースは、ＣＥＣチャネルにおける双方向通信が可能なインタフェースである。
インタフェース部２１は、低速転送モードと高速転送モードの２つの動作モードを有する。これら２つのモードは、ＣＥＣコマンド生成・解析部２２からの指示に応じて切り替えが可能となっている。
【００２３】
ＣＥＣコマンド生成・解析部２２は、インタフェース部２１における受信装置１とのＣＥＣ規格での転送を可能とするブロックである。ＣＥＣコマンド生成・解析部２２は、インタフェース部２１で受信したビット列をシリアルｔｏパラレル変換して、コマンドデータ列としてシステムコントローラ２５に入力する。或いは、システムコントローラ２５からのコマンドやデータをパラレルｔｏシリアル変換してインタフェース部２１から転送する。
【００２４】
受信ＦＩＦＯ２３は、ＣＥＣコマンド生成・解析部１４により高速転送モードでの受信装置１からのデータ転送時に、高速転送のために一時的に分割されたデータを記憶しておくメモリである。これにより、高速転送モードによる転送が可能となる。
システムメモリ２４は、例えばインタフェース部２１を介して受信装置１から取得したデータや、再生専用装置２の各動作のためのプログラム類を記憶する。
システムコントローラ２５は、例えばＣＰＵなどの制御ユニットであり、再生専用装置２全体の動作を統括的に制御する。
フラッシュメモリ２６は、例えば再生専用装置２のファームウェア等が格納されている不揮発性メモリである。
本実施形態においては、受信装置１が放送波を介して取得した再生専用装置２のアップデートプログラムを、ＨＤＭＩインタフェースを介して高速に転送し、フラッシュメモリ２６に格納されたファームウェアをアップデートすることが目的である。
【００２５】
次に、受信装置１のインタフェース部１６及び再生専用装置２のインタフェース部２１による、高速転送モードについて説明する。
現行のＣＥＣの規定ではデータ１ビットの転送に２．４ミリ秒かかる。
すなわち、この場合の転送速度はおよそ４１６ｂｐｓほどしかない。
これは現行のＣＥＣの規定が、コマンドやタイトル名の転送などごく短いデータの通信を想定して設計されているためである。
このため、本来アップデートプログラムのような大容量のデータ転送には適していない。
【００２６】
高速転送モードでは、例えば、インタフェース部１６及びインタフェース部２１が信号波形を変化させて高速転送を可能にする。
すなわち、例えば、現行のＣＥＣの規定を踏襲した信号の波形を所定の割合で圧縮すればよい。
現状では１ビットの転送が２．４ミリ秒と規定されているので、例えば１ビットの転送を１マイクロ秒で行うようにすれば、１メガビット毎秒の転送速度が得られる。
【００２７】
このような高速転送モードを実現するために、インタフェース部１６及びインタフェース部２１に、専用のインタフェースをハードウェアで実装する方法が考えられる。
従来のＣＥＣ規定では、転送速度が遅いため、ソフトウェア制御によって信号波形を生成することが可能であったが、上述した高速転送モードにおいてソフト処理で波形生成をすると、高価かつ高速なマイクロプロセッサが必要となってしまう。
従って、専用のハードウェアインタフェース回路をインタフェース部１６及びインタフェース部２１に実装することにより、比較的安価に高速転送モードでの転送を実現することができる。
【００２８】
これに加えて、上述したように、受信装置１内にてプログラムデータをシステムメモリ１１からＣＥＣチャネル３に送出する場合の、受信装置１内部のデータ転送速度とＣＥＣチャネル３での転送速度の差を吸収するために、送信ＦＩＦＯ１５を実装する。
受信装置１内部のデータ転送速度は、高速転送モードのＣＥＣチャネル３の転送速度よりも遥かに高速である。このため、その中間にＦＩＦＯを実装することにより、まとまったデータを断続的に供給することによってシステム負荷を下げつつ、かつＣＥＣチャネル３の転送効率を向上させることができる。
同様な理由で、再生専用装置２もデータを連続的に受信するための受信ＦＩＦＯ２３を実装している。
【００２９】
以上説明したように、本実施形態では、受信装置１のインタフェース部１６と再生専用装置２のインタフェース部２１とが専用のハードウェアインタフェースを実装することにより、ＣＥＣチャネル３を介した高速転送モードが使用可能である。
【００３０】
以下、上述した高速転送モードを使用した再生専用装置２のファームウェアアップデート時のデータ転送システム１００の動作例について説明する。
図２は、再生専用装置２のファームウェアアップデート時のデータ転送システム１００の動作例について説明するためのシーケンス図である。
なお、図２に示す動作例では、受信装置１側及び再生専用装置２側の起動時には、低速転送モードが設定されているとする。
【００３１】
ステップＳＴ１：
受信装置１が再生専用装置２の起動を検出したとき、受信装置１は再生専用装置２に対して、機器情報の問い合わせを行う。この問い合わせは現状のＣＥＣの規格では定義されていない新しいコマンド（専用の問い合わせコマンド）を定義して使用する。
ステップＳＴ２：
再生専用装置２は、ステップＳＴ１における受信装置１からの問い合わせコマンドを受信し、高速転送モードに対応している場合に、上記の問い合わせに応答する。
応答の際には、
（１）再生専用装置２を識別するための商品型名情報
（２）再生専用装置２の現在のファームウェアバージョン情報
（３）連続転送が可能なデータ量
等の情報を受信装置１に対して送信する。
【００３２】
ステップＳＴ３：
受信装置１は、ステップＳＴ２における再生専用装置２からの応答を正常に受信できた場合には、再生専用装置２が高速転送モードに対応した装置であると認識する。
正常に受信できなかった場合には、通常のＣＥＣ機器として認識し、高速転送モードによるアップデート処理を中止する。
正常に受信できた場合は、受信した情報をシステムメモリ１１に格納する。
ステップＳＴ４：
受信装置１は、放送波を介して、再生専用装置２のファームウェアのアップデートプログラムを受信する。
【００３３】
ステップＳＴ５：
受信装置１は、放送波を介して受信したアップデートプログラムが再生専用装置２に対応しているか否かを確認する必要がある。そこで、受信装置１は、プログラムデータに付加されている再生専用装置２の型名情報やプログラムのバージョン情報と、ステップＳＴ３において再生専用装置２から受信した型名情報やバージョン情報との比較を行う。
これにより、受信装置１は、放送波から取得したアップデートプログラムが再生専用装置２に対応しているか否かを確認する。
受信装置１は、対応していることを確認した場合は再生専用装置２のアップデート処理を続行し、対応していなかった場合は、他の機種用のプログラムデータを受信したことになるので、受信データを破棄し、処理を中止する。
また、受信装置１は、ステップＳＴ３において再生専用装置２から受信したプログラムのバージョン情報と、放送波を介して取得したアップデートプログラムのバージョン情報とを比較する。
放送波を介して取得したプログラムの方がより新しいバージョンであった場合には、再生専用装置２のアップデート処理を続行する。同じバージョンであったり、古いバージョンであったりした場合は、バージョンアップ動作は不要であるため受信したデータを破棄し、アップデート処理を中断する。
ステップＳＴ６：
受信装置１は、再生専用装置２に対してアップデート処理開始命令を送る。
【００３４】
ステップＳＴ７：
再生専用装置２は、ステップＳＴ６においてアップデート処理開始命令を受信したら、アップデートプログラム受信のための準備処理を行う。
準備処理が終了したら、再生専用装置２は、受信装置１に対してアップデート処理準備完了通知を行う。
ステップＳＴ８：
再生専用装置２は、ステップＳＴ７においてアップデート処理準備完了通知を行った直後に、インタフェース部２１の動作モードを高速転送モードに切り替える。
【００３５】
ステップＳＴ９：
受信装置１は、アップデート処理準備完了通知を受信したら、インタフェース部１６の動作モードを高速転送モードに切り替える。
ステップＳＴ１０：
受信装置１は、システムメモリ１１に格納された再生専用装置２のアップデートプログラムをいくつかの転送単位に分割する。
１転送単位は、ステップＳＴ３において、再生専用装置２から取得した連続転送が可能なデータ量の情報を基に決定する。
【００３６】
ステップＳＴ１１：
受信装置１は、１転送単位分に分割されたアップデートプログラムを送信ＦＩＦＯ１５へ転送し、格納する。
ステップＳＴ１２：
受信装置１は、インタフェース部１６による高速転送モードで、送信ＦＩＦＯ１５にデータが蓄積され次第、再生専用装置２へ１回目のアップデートプログラムの転送を開始する。
【００３７】
ステップＳＴ１３：
再生専用装置２は１転送単位分のデータを受け取り、受信ＦＩＦＯ２３に一時保持したのち、システムコントローラ２５によってシステムメモリ２４へ転送して格納する。
転送が完了したら、受信装置１に対して受信完了通知を行う。
なお、ステップＳＴ１２及びステップＳＴ１３における、１転送単位分のアップデートプログラムの一部に、チェックサムなどの確認用付加データを定義して受信装置１がこれを付加し、再生専用装置２側でチェックするようにしてもよい。これにより、通信エラーがあった場合は再送や中断処理が可能となる。
ステップＳＴ１４：
ステップＳＴ１２及びステップＳＴ１３の１転送単位分のデータ送受信を複数回繰り返し、アップデートプログラム全体の転送が終了したら、受信装置１はデータ転送終了命令を再生専用装置２に送信する。
【００３８】
ステップＳＴ１５：
受信装置１からデータ転送終了命令を受信した再生専用装置２は、転送モードを低速転送モードに切り替える。
ステップＳＴ１６：
ステップＳＴ１４においてデータ転送終了命令を送信した受信装置１は、転送モードを低速転送モードに切り替える。
【００３９】
ステップＳＴ１７：
再生専用装置２は、システムメモリ２４内に蓄積されたアップデートプログラムを結合して、フラッシュメモリ２６に書き込む。
これにより、再生専用装置２のファームウェアアップデートが完了する。
ステップＳＴ１８：
再生専用装置２は、ステップＳＴ１７においてファームウェアアップデートが完了したことを受信装置１に対して通知する。
ステップＳＴ１９：
受信装置１は、再生専用装置２からアップデート完了通知を受け取ったら、システムメモリ１１に記憶されている再生専用装置２のソフトウェアバージョン情報を更新し、次回のアップデートに備えて処理を終了する。
【００４０】
以上説明したように、本実施形態のデータ転送システム１００によれば、再生専用装置２のファームウェアアップデートを、再生専用装置２に接続された、放送波を受信可能な受信装置１を介してアップデートを取得することにより実行することができる。
その際、受信装置１と再生専用装置２との間のアップデートプログラムの転送は、ＨＤＭＩインタフェースのＣＥＣチャネル３を介して行われる。ここで、ＣＥＣチャネル３を接続するインタフェース部１６及びインタフェース部２１に専用のインタフェースを実装することにより、従来のＣＥＣチャネルによる転送よりも高速な高速転送モードによるデータ転送を可能とした。
【００４１】
受信装置１と再生専用装置２との間で高速転送モードによる転送が行われている最中は、受信装置１と再生専用装置２の双方において、例えば、受信装置１における受信動作や、再生専用装置２における再生動作など、高速転送以外の動作が禁止される。すなわち、再生専用装置２のファームウェアバージョンアップ処理中は、受信装置１も再生専用装置２も高速転送モード専用の動作状態へ移行するように構成される。
そして、高速転送のみを行っている状態であることをユーザに通知する。すなわち、例えば図示しない表示部等に「バージョンアップ中です。しばらくお待ちください」等の表示を行うことによる通知を行う。
なお、上述した実施形態では、データ転送システム１００がどちらも高速転送モードに対応したインタフェース部を有する受信装置１と再生専用装置２とにより構成されていた。
しかし、例えば図３に示すように、受信装置に２つ以上の再生専用装置が接続されており、かついずれかの再生専用装置は高速転送モードに対応していないような場合には、上述した本願発明が適用できない。
図３は、高速転送モードに対応しない機器が含まれるデータ転送システムの一例を示すブロック図である。
【００４２】
なぜなら、高速転送モードに対応していない機器に対して、高速転送モードの波形を入力した場合は、何らかの誤動作を引き起こす可能性があるからである。
そのため、１つでもＣＥＣトポロジ上に高速転送モードに非対応である機器が存在する場合は、本発明の機能を動作させないようにする必要がある。
【００４３】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
【図面の簡単な説明】
【００４４】
【図１】図１は、データ転送システムの構成の一例を説明するためのブロック図である。
【図２】図２は、再生専用装置２のファームウェアアップデート時のデータ転送システムの動作例について説明するためのシーケンス図である。
【図３】図３は、高速転送モードに対応しない機器が含まれるデータ転送システムの一例を示すブロック図である。
【符号の説明】
【００４５】
１００…データ転送システム、１…受信装置、２…再生専用装置、３…ＣＥＣチャネル、１０…システムバス、１１…システムメモリ、１２…システムコントローラ、１３…放送波受信部、１４…ＣＥＣコマンド生成・解析部、１５…送信ＦＩＦＯ、１６…インタフェース部、２０…システムバス、２１…インタフェース部、２２…ＣＥＣコマンド生成・解析部、２３…受信ＦＩＦＯ、２４…システムメモリ、２５…システムコントローラ、２６…フラッシュメモリ
【図１】
2010092354.tif 000003
【図２】
2010092354.tif 000004
【図３】
2010092354.tif 000005